(57)【要約】【課題】組立が容易なフィルタ装置を提供する。【解決手段】フィルタ装置１は、エレメント交換型である。フィルタ装置１は、フィルタエレメント３０を交換可能に収容するケースとしての第１部材１０（第１部材）および第２部材２０（第２部材）を備える。フィルタ装置１は、第２部材２０の径方向外側に配置され、第１部材１０へ締め付けられて第２部材２０を第１部材１０に連結するリテーナ４０を備える。フィルタ装置１は、第２部材２０から突出する弾性変形可能な突出片５１を備える。突出片５１は、リテーナ４０の内径ＣＲ４４を越えて径方向外側に向けて延びだしている。突出片５１は、内径ＣＲ４４の内側へ弾性変形可能である。【選択図】図１
2019126797.tif 000002
【特許請求の範囲】
【請求項１】
フィルタエレメント（３０）を交換可能に収容する容器としての第１部材（１０）および第２部材（２０）と、
前記第２部材の径方向外側に配置され、前記第１部材へ締め付けられて前記第２部材を前記第１部材に連結するリング状部材（４０）と、
前記第２部材から径方向外側に向けて、前記リング状部材の内径（ＣＲ４４）を越えて延び出しており、前記リング状部材の内径より径方向内側へ弾性的に変形可能な突出片（５１）とを備えるエレメント交換型フィルタ装置。
【請求項２】
前記第２部材と前記突出片は、連続する樹脂材料によって、一体的に成型されている請求項１に記載のエレメント交換型フィルタ装置。
【請求項３】
前記突出片は、
弾性力により開いて、前記第２部材と前記リング状部材との分離を阻止する展開状態に変形可能であり、
弾性的に変形させられて、前記突出片の径方向外側を前記リング状部材が通過することを許容する縮小状態に変形可能である請求項１または請求項２に記載のエレメント交換型フィルタ装置。
【請求項４】
前記突出片と前記第２部材との間には、前記突出片よりも高い剛性を有する連結部分（５２）を有する請求項１から請求項３のいずれかに記載のエレメント交換型フィルタ装置。
【請求項５】
前記突出片は、変形に伴う応力が集中し、破損しやすい脆弱部（５８、２５８、３５８、４５８）を有する請求項１から請求項３のいずれかに記載のエレメント交換型フィルタ装置。
【請求項６】
前記脆弱部（５８、２５８、３５８、４５８）は、前記第２部材から離れている請求項５に記載のエレメント交換型フィルタ装置。
【請求項７】
前記第２部材と前記突出片は、連続する樹脂材料によって、一体的に成型されており、
前記第２部材は、外面に平面を提供する平面部分（２１ｄ）を備え、
前記突出片と前記平面部分との間には、前記突出片よりも高い剛性を有する連結部分（５２）を有し、
前記突出片は、前記第２部材の軸（ＡＸ）に沿って前記第２部材から離れるように、前記連結部分から斜めに延び出している請求項１に記載のエレメント交換型フィルタ装置。
【請求項８】
フィルタエレメント（３０）を交換可能に収容する容器としての第１部材（１０）および第２部材（２０）と、
前記第２部材の径方向外側に配置され、前記第１部材へ締め付けられて前記第２部材を前記第１部材に連結するリング状部材（４０）とを備えるエレメント交換型フィルタ装置において、
前記第２部材は、
前記リング状部材の内径（ＣＲ４４）より小さい外径（ＣＲ５６２）を有する外面（５６２）と、
前記外面より径方向内側にへこみ、軸方向に沿って延びる溝（５６３、６６３）とを有し、
前記リング状部材は、
前記内径より径方向内側に向けて突出し、前記溝の中に受け入れられて、前記リング状部材の軸方向への移動を許容する突部（５６１）を有するエレメント交換型フィルタ装置。
【請求項９】
フィルタエレメント（３０）を交換可能に収容する容器としての第１部材（１０）および第２部材（２０）と、
前記第２部材の径方向外側に配置され、前記第１部材へ締め付けられて前記第２部材を前記第１部材に連結するリング状部材（４０）とを備えるエレメント交換型フィルタ装置において、
前記第２部材は、
前記リング状部材の内径（ＣＲ４４）より小さい外径（ＣＲ５６２）を有する外面（５６２）と、
前記外面より径方向外側に突出し、軸方向に沿って延びる複数の突部（７６５、７６６）とを有し、
前記リング状部材は、
前記リング状部材の内径より径方向外側に向けてへこみ、前記突部を受け入れて、前記リング状部材の軸方向への移動を許容する溝（７６４）を有するエレメント交換型フィルタ装置。
【請求項１０】
フィルタエレメント（３０）を交換可能に収容する容器としての第１部材（１０）および第２部材（２０）と、
前記第２部材の径方向外側に配置され、前記第１部材へ締め付けられて前記第２部材を前記第１部材に連結するリング状部材（４０）とを備えるエレメント交換型フィルタ装置において、
前記第２部材は、
前記リング状部材の内径（ＣＲ４４）より小さい外径（ＣＲ５６２）を有する外面（５６２）と、
前記外面より径方向外側に突出し、軸方向に沿って延びるひとつまたは複数の突部（７６５、７６６）とを有し、
前記リング状部材は、前記リング状部材を特定の径方向へずらした場合にのみ、前記突部の径方向外側において、前記リング状部材の軸方向への移動を許容する内径を有するエレメント交換型フィルタ装置。
【発明の詳細な説明】
【技術分野】
【０００１】
この明細書における開示は、エレメント交換型フィルタ装置に関する。
【背景技術】
【０００２】
特許文献１から特許文献３は、フィルタ装置を開示している。フィルタ装置は、容器の径方向外側に、リング状の部材を位置付けている。リング状の部材は、第１部材と第２部材とを連結し、フィルタエレメントを収容する容器を形成している。従来技術として列挙された先行技術文献の記載内容は、この明細書における技術的要素の説明として、参照により援用される。
【先行技術文献】
【特許文献】
【０００３】
【特許文献１】特許第３７３８１４３号
【特許文献２】特許第４２６０５９２号
【特許文献３】特開２０１４−１９４２１５号公報
【発明の概要】
【発明が解決しようとする課題】
【０００４】
従来技術の構成では、容器が開かれているときに、緩められたリング状部材と容器とは、容器の径方向外側にリング状部材を遊動状態で保持するように緩く嵌合されている。この緩い嵌合は、容器と、リング状部材との緩い嵌め合いによって提供されている。この緩い嵌合は、遊嵌状態とも呼ばれる。
【０００５】
しかし、分離状態から、嵌合状態への容易な嵌め合いと、嵌合後の安定的な保持とを両立することは困難であった。上述の観点において、または言及されていない他の観点において、エレメント交換型フィルタ装置にはさらなる改良が求められている。
【０００６】
開示されるひとつの目的は、容器とリング状部材との容易な嵌め合いと、嵌合後の安定的な保持とを両立するエレメント交換型フィルタ装置を提供することである。
【０００７】
開示される他のひとつの目的は、容器とリング状部材との容易な嵌め合いを許容しながら、容器の破損を抑制するエレメント交換型フィルタ装置を提供することである。
【０００８】
開示されるさらに他のひとつの目的は、容器とリング状部材との容易な嵌め合いと、容器上におけるリング部材の安定的な保持と、さらに、容器とリング状部材との意図的な分離を可能とするエレメント交換型フィルタ装置を提供することである。
【課題を解決するための手段】
【０００９】
ここに開示されたエレメント交換型フィルタ装置のひとつの態様は、フィルタエレメント（３０）を交換可能に収容する容器としての第１部材（１０）および第２部材（２０）と、第２部材の径方向外側に配置され、第１部材へ締め付けられて第２部材を第１部材に連結するリング状部材（４０）とを備える。さらに、エレメント交換型フィルタ装置は、第２部材から径方向外側に向けて、リング状部材の内径（ＣＲ４４）を越えて延び出しており、リング状部材の内径より径方向内側へ弾性的に変形可能な突出片（５１）を備える。
【００１０】
開示されるエレメント交換型フィルタ装置によると、第２部材は、リング状部材によって第１部材に連結される。突出片は、第２部材から径方向外側に向けて延び出している。しかも、その延び出しは、リング状部材の内径を越えている。よって、突出片は、リング状部材を第２部材の上に安定的に保持する。一方、突出片は、弾性的に変形可能である。しかも、突出片は、リング状部材の内径より径方向内側へ弾性変形可能である。よって、突出片がリング状部材の内径より径方向内側へ弾性変形させられている状態では、リング状部材は、突出片の径方向外側を経由して軸方向へ移動可能である。この結果、突出片の弾性変形によって、容器とリング状部材との容易な嵌め合いが可能となる。さらに、突出片によって、嵌合後の安定的な保持が可能となる。
【００１１】
ここに開示されたエレメント交換型フィルタ装置のひとつの態様は、フィルタエレメント（３０）を交換可能に収容する容器としての第１部材（１０）および第２部材（２０）と、第２部材の径方向外側に配置され、第１部材へ締め付けられて第２部材を第１部材に連結するリング状部材（４０）とを備える。エレメント交換型フィルタ装置において、第２部材は、リング状部材の内径（ＣＲ４４）より小さい外径（ＣＲ５６２）を有する外面（５６２）と、外面より径方向内側にへこみ、軸方向に沿って延びる溝（５６３、６６３）とを有し、リング状部材は、内径より径方向内側に向けて突出し、溝の中に受け入れられて、リング状部材の軸方向への移動を許容する突部（５６１）を有する。
【００１２】
開示されるエレメント交換型フィルタ装置によると、リング部材に設けられた突部と、第２部材に設けられた溝とで、容器とリング状部材との容易な嵌め合いと、嵌合後の安定的な保持とを提供できる。
【００１３】
ここに開示されたエレメント交換型フィルタ装置のひとつの態様は、フィルタエレメント（３０）を交換可能に収容する容器としての第１部材（１０）および第２部材（２０）と、第２部材の径方向外側に配置され、第１部材へ締め付けられて第２部材を第１部材に連結するリング状部材（４０）とを備える。エレメント交換型フィルタ装置において、第２部材は、リング状部材の内径（ＣＲ４４）より小さい外径（ＣＲ５６２）を有する外面（５６２）と、外面より径方向外側に突出し、軸方向に沿って延びる複数の突部（７６５、７６６）とを有し、リング状部材は、リング状部材の内径より径方向外側に向けてへこみ、突部を受け入れて、リング状部材の軸方向への移動を許容する溝（７６４）を有する。
【００１４】
開示されるエレメント交換型フィルタ装置によると、リング部材に設けられた溝と、第２部材に設けられた複数の突部とで、容器とリング状部材との容易な嵌め合いと、嵌合後の安定的な保持とを提供できる。
【００１５】
ここに開示されたエレメント交換型フィルタ装置のひとつの態様は、フィルタエレメント（３０）を交換可能に収容する容器としての第１部材（１０）および第２部材（２０）と、第２部材の径方向外側に配置され、第１部材へ締め付けられて第２部材を第１部材に連結するリング状部材（４０）とを備える。エレメント交換型フィルタ装置において、第２部材は、リング状部材の内径（ＣＲ４４）より小さい外径（ＣＲ５６２）を有する外面（５６２）と、外面より径方向外側に突出し、軸方向に沿って延びるひとつまたは複数の突部（７６５、７６６）とを有し、リング状部材は、リング状部材を特定の径方向へずらした場合にのみ、突部の径方向外側において、リング状部材の軸方向への移動を許容する内径を有する。
【００１６】
開示されるエレメント交換型フィルタ装置によると、リング部材の内径と、第２部材に設けられたひとつまたは複数の突部とで、容器とリング状部材との容易な嵌め合いと、嵌合後の安定的な保持とを提供できる。
【００１７】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【００１８】
【図１】第１実施形態のフィルタ装置を示す断面図である。
【図２】第２部材とリング状部材とを示す側面図である。
【図３】図２の矢印ＩＩＩから見た平面図である。
【図４】図２の矢印ＩＶから見た第２部材を示す平面図である。
【図５】図２の矢印Ｖから見た第２部材を示す側面図である。
【図６】図５のＶＩ−ＶＩ線における断面図である。
【図７】図５のＶＩＩ−ＶＩＩ線における断面図である。
【図８】図５のＶＩＩＩ−ＶＩＩＩ線における断面図である。
【図９】図５のＩＸ−ＩＸ線における断面図である。
【図１０】第２実施形態の脱落防止機構を示す側面図である。
【図１１】第３実施形態の脱落防止機構を示す側面図である。
【図１２】第４実施形態の脱落防止機構を示す側面図である。
【図１３】第５実施形態の部分断面図である。
【図１４】図１３のＸＩＶ−ＸＩＶ線における断面図である。
【図１５】第６実施形態の部分断面図である。
【図１６】第７実施形態の部分断面図である。
【図１７】図１６のＸＶＩＩ−ＸＶＩＩ線における断面図である。
【図１８】第８実施形態の部分断面図である。
【図１９】図１８のＸＩＸ−ＸＩＸ線における断面図である。
【図２０】第９実施形態の部分断面図である。
【発明を実施するための形態】
【００１９】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００２０】
第１実施形態
＜エレメント交換型フィルタ装置＞
図１において、エレメント交換型フィルタ装置（フィルタ装置１）は、内燃機関に供給される燃料を濾過する燃料フィルタを提供する。内燃機関は、乗り物に搭載されている。内燃機関は、乗り物の動力を直接的に供給する用途、または乗り物の発電機を駆動する用途に用いることができる。ここで、乗り物の語は、広義に解釈される。乗り物は、車輪を有する車両、水上の船舶、航空機などの移動体、およびアミューズメント機器などの固定物を含む。
【００２１】
フィルタ装置１は、フィルタエレメント３０を交換可能としたフィルタ装置である。フィルタ装置１は、フィルタエレメント３０を収容する容器の再利用を可能とする。容器は、フィルタエレメント（３０）を交換可能に収容する。容器は、連結および分離が繰り返して可能な複数の部材を有する。容器は、第１部材１０と、第２部材２０とを備える。さらに、容器は、第１部材１０と第２部材２０とを連結するためのリテーナ４０を有する。リテーナ４０は、第２部材２０の径方向外側に配置されている。リテーナ４０は、第１部材１０へ締め付けられる。リテーナ４０は、締め付けによって、第２部材２０を第１部材１０に連結する。リテーナ４０は、第１部材１０と第２部材２０とを連結するために、ねじ機構またはバヨネットロック機構のような締結機構を有する。締結機構の説明は、特許文献２（特許第４２６０５９２号）から、参照により導入することができる。
【００２２】
リテーナ４０は、第１部材１０と第２部材２０とを連結しているときに、図示される固定位置に位置付けられる。リテーナ４０は、第１部材１０への締め付けが解除された状態において、第２部材２０の径方向外側に保持される。リテーナ４０は、第２部材２０の上部、すなわち第１部材１０側の規定範囲に保持される。規定範囲は、後述の突出片５１より上部である。言い換えると、後述の突出片５１は、第２部材２０の下部、すなわち規定範囲より下に配置されている。規定範囲は、リテーナ４０が突出片５１と接触する位置と、リテーナ４０が第２部材段差２３と接触する位置との間である。
【００２３】
第１部材１０は、キャップ、または固定部材とも呼ばれる。第２部材２０は、カップ、または分離可能部材とも呼ばれる。リテーナ４０は、リング状部材とも呼ばれる。
【００２４】
＜第１部材１０＞
第１部材１０は、乗り物または内燃機関などの基台に固定される。第１部材１０は、樹脂製の成形品である。第１部材１０は、金属製でもよい。第１部材１０は、外筒１１と、内筒１２とを有する第１部材状である。外筒１１と内筒１２との間には、ダーティサイド空間としての環状空洞１３が形成されている。内筒１２の中には、クリーンサイド空間としての柱状空洞１４が形成されている。第１部材１０は、径方向に沿って突出する入口管１５を有する。入口管１５は、環状空洞１３に連通する入口空洞１５ａを提供する。第１部材１０は、径方向に沿って突出する出口管１６を有する。出口管１６は、柱状空洞１４に連通する出口を提供する。
【００２５】
外筒１１は、一端に向けて開口している。外筒１１は、フィルタ装置１の正規の設置状態において、重力方向の下に向けて開口している。以下の説明において、フィルタ装置１の正規の設置状態における重力方向に基づいて、上または下の語が用いられる。フィルタ装置１は、図示の状態を正規の設置状態として設置される。ただし、フィルタ装置１は、図示以外の姿勢で設置されてもよい。
【００２６】
外筒１１は、第１部材段差１７を有する。第１部材段差１７は、外フランジによって提供されている。第１部材段差１７は、外筒１１の外面から径方向外側に突出している。第１部材段差１７は、下向きのストッパ面を提供する。ストッパ面は、リテーナ４０を締め付ける場合の限界位置を規定する。
【００２７】
外筒１１は、雄ねじ部１８を有する。雄ねじ部１８は、外筒１１の開口端と第１部材段差１７との間に設けられている。雄ねじ部１８は、締結機構の一部を提供する。
【００２８】
＜第２部材２０＞
第２部材２０は、主容器とも呼ばれる。第２部材２０は、主としてフィルタエレメント３０を収容する容器を提供する。第２部材２０は、燃料から水または異物を沈降させることによって分離する沈降室を提供する容器を提供する。第２部材２０は、樹脂製の成形品である。第２部材２０は、金属製でもよい。
【００２９】
第２部材２０は、外壁２１を有する。外壁２１は、筒状の外面２１ａを有する。外壁２１は、外面２１ａの下端に設けられた底面２１ｂを有する。底面２１ｂは、沈降物を排出するためのドレン装置、および／または、沈降物の量を計測するフロートセンサを備えていてもよい。外壁２１は、上端に上端縁２１ｃを有する。上端縁２１ｃは、第２部材２０の上端に開口部を区画形成する。外壁２１は、外面２１ａの一部に、平面部分２１ｄを有する。平面部分２１ｄ以外の外面２１ａは、円筒状である。平面部分２１ｄは、後述の分離防止機構５０を支持するための支持部分でもある。平面部分２１ｄは、外面２１ａの下端から、外面２１ａの中ほどで終端するように、所定長さにわたって形成されている。
【００３０】
この結果、外壁２１は、カップ状の容器を提供する。外壁２１が提供する容積室２２は、上部容積によってフィルタエレメント３０の収容室を提供し、下部容積によって沈降室を提供する。平面部分２１ｄは、沈降室の範囲で上下方向に延びている。
【００３１】
外壁２１は、第２部材段差２３を有する。第２部材段差２３は、径方向外側に突出する外フランジによって提供されている。第２部材段差２３は、外壁２１の上部に位置している。第２部材段差２３は、下向きの係合面を提供する。係合面は、リテーナ４０と対向し、リテーナ４０の締結力を受ける。第２部材段差２３は、リテーナ４０によって第１部材１０に向けて第２部材２０を固定するための部分を提供する。第２部材段差２３は、外壁２１から径方向外側に向けて広がっている。
【００３２】
外壁２１は、シール面２４を有する。シール面２４は、上端縁２１ｃと第２部材段差２３との間に設けられている。第２部材２０は、シール部材２５を備える。シール部材２５は、Ｏリング等によって提供することができる。シール面２４は、シール部材２５と接触している。シール部材２５は、外筒１１の内面と接触している。シール部材２５は、第１部材１０と第２部材２０との間に配置されることにより、それらの間のシールを提供している。シール面２４の両端には、シール部材２５を保持するための環状突起を備えることができる。
【００３３】
＜フィルタエレメント３０＞
フィルタエレメント３０は、第１部材１０と第２部材２０との間に配置されている。フィルタエレメント３０は、第２部材２０の開口部から第２部材２０の中に挿入されている。フィルタエレメント３０は、上端縁２１ｃに接している。フィルタエレメント３０は、第１部材１０と第２部材２０との間において挟まれることによって固定されている。
【００３４】
フィルタエレメント３０は、フレーム３１と、濾材３２とを有する。フレーム３１は、樹脂製である。濾材３２は、燃料を濾過する濾紙によって提供されている。濾材３２は、いわゆる軸流型のハニカムエレメントである。フィルタエレメント３０は、第１シール部材３３を有する。第１シール部材３３は、第１部材１０と接している。第１シール部材３３は、外筒１１とフレーム３１との間に配置されている。第１シール部材３３は、外筒１１とフレーム３１との間をシールしている。フィルタエレメント３０は、第２シール部材３４を有する。第２シール部材３４は、第１部材１０と接している。第２シール部材３４は、内筒１２とフレーム３１との間に配置されている。第２シール部材３４は、内筒１２とフレーム３１との間をシールしている。
【００３５】
この結果、第１シール部材３３および第２シール部材３４を含むシール機構は、フィルタエレメント３０によって、ケース内をダーティサイドとクリーンサイドとに区画する。フィルタエレメント３０は、ケース内をダーティサイドとクリーンサイドとに仕切るように配置されている。フィルタエレメント３０は、濾材３２を通してダーティサイドとクリーンサイドとを連通する通路を提供する。ダーティサイドとクリーンサイドとは、濾材３２だけを通して連通可能である。
【００３６】
燃料は、入口管１５を通して、環状空洞１３に流入する。燃料は、環状空洞１３から、フレーム３１内のダーティサイド通路に流入する。燃料は、センタパイプ３１ａを通して、容積室２２に流入する。燃料は、容積室２２から、濾材３２を通過する。濾材３２によって濾過された燃料は、フレーム３１内のクリーンサイド通路を通り、柱状空洞１４に流入する。燃料は、柱状空洞１４から、出口管１６に流出する。
【００３７】
フィルタエレメント３０を構成する材料は、廃棄、またはリサイクルを有利にするように選定されている。フレーム３１は、例えば、樹脂製の成形品である。濾材３２は、樹脂繊維製である。フィルタエレメント３０の説明は、特許文献３（特開２０１４−１９４２１５号公報）から、参照により導入することができる。
【００３８】
＜リテーナ４０＞
リテーナ４０は、環状の部材である。リテーナ４０は、リング状部材とも呼ばれる。リテーナ４０は、第２部材２０の径方向外側に配置されている。リテーナ４０は、第１部材１０の径方向外側に配置されている。リテーナ４０は、第２部材２０の径方向外側において、軸方向へ移動可能に保持されている。リテーナ４０は、第２部材２０の径方向外側から分離しないように保持されている。リテーナ４０は、樹脂製の成形品である。リテーナ４０は、金属製でもよい。
【００３９】
リテーナ４０は、筒状部分４１を有する。筒状部分４１は、第１部材１０と対向する上端に上端縁４２を有する。上端縁４２は、第１部材１０の開口端、および第２部材２０の外壁２１を受け入れる開口を区画形成している。この開口は、円形の開口である。筒状部分４１は、下端に、リテーナ段差４３を有する。リテーナ段差４３は、内フランジによって提供されている。リテーナ段差４３は、筒状部分４１の内径から内側に向けて突出している。リテーナ段差４３は、第２部材段差２３と対向している。リテーナ段差４３は、第２部材段差２３と直接的に接触している。リテーナ段差４３は、第２部材段差２３を支持する支持面を提供している。
【００４０】
リテーナ段差４３は、径方向内側の内側縁４４によって、仮想円ＣＲ４４を提供する。仮想円ＣＲ４４は、内径ＣＲ４４を提供する。内径ＣＲ４４は、第２部材段差２３が提供する外径より小さい。この結果、リテーナ段差４３は、第２部材段差２３を下から支持する。
【００４１】
筒状部分４１は、雌ねじ部４５を有する。雌ねじ部４５は、筒状部分４１の内面に形成されている。雌ねじ部４５は、締結機構の一部を提供する。雄ねじ部１８と、雌ねじ部４５とは、互いに噛み合い可能である。雄ねじ部１８と、雌ねじ部４５とは、締結機構としてのねじ機構を提供する。筒状部分４１の外面には、雌ねじ部４５を回転操作するための凹凸面が形成されている。凹凸面は、リテーナ４０の移動方向（上下方向）およびリテーナ４０を締め付けるための回転方向（周方向）を示す模様も形成されている。
【００４２】
＜分離防止機構５０＞
第２部材２０は、分離防止機構５０を備える。分離防止機構５０と第２部材２０とは、連続する樹脂材料によって一体成形されている。分離防止機構５０は、弾性変形可能な部材によって提供されている。分離防止機構５０は、第２部材２０の外壁２１から径方向外側に向けて延び出している。分離防止機構５０は、平面部分２１ｄから延び出している。分離防止機構５０は、平面部分２１ｄによって支持されている。分離防止機構５０は、第２部材２０の軸ＡＸから離れるように延び出している。
【００４３】
＜突出片５１＞
分離防止機構５０は、突出片５１を有する。突出片５１は、片持ち梁状である。突出片５１は、第２部材２０から径方向外側に向けて突出している。突出片５１は、リテーナ４０の内径ＣＲ４４を越えて延び出している。突出片５１は、第２部材２０の下部から、第２部材２０の上に向けて延び出している。突出片５１は、基端部から先端部に向けて、軸ＡＸから離れるように斜めに延び出している。突出片５１は、突出片５１の径方向外側におけるリテーナ４０の通過を妨げるように突出している。突出片５１の径方向外側への突出量は、仮想円ＣＲｍａｘを規定する。仮想円ＣＲｍａｘは、外径ＣＲｍａｘを有する。外径ＣＲｍａｘは、リテーナ４０の内径ＣＲ４４より大きい。外径ＣＲｍａｘは、中心軸ＡＸｍａｘを有する。
【００４４】
突出片５１は、荷重を受けていない自由状態において、実線で図示される形状を有している。突出片５１は、自由状態において、実線の形状へ向けて徐々に変化してもよい。突出片５１は、樹脂成形の後に、破線で図示される形状から、実線で図示される形状へ徐々に変形してもよい。
【００４５】
突出片５１は、弾性変形可能である。突出片５１は、リテーナ４０の内径ＣＲ４４より径方向内側へ弾性的に変形可能である。突出片５１は、平板である。突出片５１は、例えば、破線で図示されるように、軸ＡＸと平行になるように弾性変形することができる。言い換えると、突出片５１は、リテーナ４０が突出片５１の径方向外側を通過できるように弾性変形することができる。弾性変形させられた突出片５１は、仮想円ＣＲｍｉｎを規定する。仮想円ＣＲｍｉｎは、外径ＣＲｍｉｎを有する。外径ＣＲｍｉｎは、リテーナ４０の内径ＣＲ４４より小さい。仮想の外径ＣＲｍｉｎは、中心軸ＡＸｍｉｎを有する。
【００４６】
突出片５１は、先端部と基端部とを有する。突出片５１は、基端部において、平面部分２１ｄに連結されている。突出片５１は、第２部材２０の軸ＡＸに対して外開きの角度ＷＲを形成している。外開きの角度ＷＲは、リテーナ４０を第２部材２０へ組み付ける作業を助け、リテーナ４０が第２部材２０から分離する不具合を抑制する。別の観点では、突出片５１は、角度ＷＲだけ弾性変形することができる。
【００４７】
言い換えると、突出片５１は、軸ＡＸに対して斜めに開いている展開状態を提供する。さらに、突出片５１は、弾性変形させられることによって、軸ＡＸに対して平行に閉じた縮小状態を提供する。突出片５１は、弾性力により開いて、第２部材２０とリテーナ４０との分離を阻止する展開状態に変形可能である。突出片５１は、弾性的に変形させられて、突出片５１の径方向外側をリテーナ４０が通過することを許容する縮小状態に変形可能である。突出片５１は、展開状態において、リテーナ４０の規定位置に保持する。突出片５１は、縮小状態において、第２部材２０とリテーナ４０との嵌め合い、および分離を可能としている。
【００４８】
外面２１ａは、第２部材２０の軸ＡＸを中心とする仮想円を規定する。分離防止機構５０は、第２部材２０の軸ＡＸと平行な中心軸ＡＸｍをもつ仮想円を規定する。この仮想円は、分離防止機構５０が内接する円である。
【００４９】
分離防止機構５０が提供する仮想円の外径は、内径ＣＲ４４を含む所定の範囲で変化することができる。すなわち、外径は、最大の外径ＣＲｍａｘから最小の外径ＣＲｍｉｎの範囲で変化する。
【００５０】
最小の外径ＣＲｍｉｎは、内径ＣＲ４４より小さい。最小の外径ＣＲｍｉｎは、分離防止機構５０を弾性変形させることにより提供される。よって、分離防止機構５０を弾性変形させることにより、リテーナ４０は、分離防止機構５０の径方向外側を通過することができる。この結果、フィルタ装置１の製造方法において、リテーナ４０を第２部材２０の下部から、分離防止機構５０を乗り越えるようにして、分離防止機構５０と第２部材段差２３との間の規定位置に装着する予備的な組立工程が可能となる。
【００５１】
最大の外径ＣＲｍａｘは、内径ＣＲ４４より大きい。最大の外径ＣＲｍａｘは、分離防止機構５０に荷重を加えていない無負荷状態、すなわち分離防止機構５０の自由状態で得られる。よって、分離防止機構５０が自由状態にあるとき、リテーナ４０は、分離防止機構５０の径方向外側を通過できない。この結果、リテーナ４０が緩められ、下方向へ移動可能な場合であっても、リテーナ４０が第２部材２０から分離することが防止される。
【００５２】
＜連結部分５２＞
分離防止機構５０は、連結部分５２を有する。連結部分５２は、突出片５１の基端部と平面部分２１ｄとの間を連結している。連結部分５２は、突出片５１より高い剛性を提供する。突出片５１は、弾性変形することを期待された部材である。連結部分５２は、弾性変形することを期待されていない。この結果、突出片５１は、第２部分２０の軸ＡＸに沿って第２部分２０から離れるように、しかも、連結部分５２から斜めに延び出している。この実施形態では、連結部分５２は、平面部分２１ｄを一辺とするボックス形状の部材によって提供されている。
【００５３】
連結部分５２は、第１水平片５３を有する。第１水平片５３は、平面部分２１ｄから径方向外側に向けて延び出し、かつ、軸ＡＸと直角に広がる。連結部分５２は、第１垂直片５４を有する。第１垂直片５４は、平面部分２１ｄから離れて平面部分２１ｄと平行に広がる。連結部分５２は、第２垂直片５５を有する。第２垂直片５５は、平面部分２１ｄから径方向外側に向けて延び出し、かつ、軸ＡＸと平行に広がる。連結部分５２は、第２水平片５６を有する。第２水平片５６は、平面部分２１ｄから径方向外側に向けて延び出し、かつ、軸ＡＸと直角に広がる。平面部分２１ｄ、第１水平片５３、第１垂直片５４、および第２水平片５６は、ボックス状に配置されている。第２垂直片５５は、ボックス状に配置された片の中央部に隔壁状に配置されている。この結果、連結部分５２は、両側に２つの空洞５７を区画形成している。
【００５４】
連結部分５２は、平面部分２１ｄと突出片５１との接続部分に、脆弱部５８を形成する。脆弱部５８は、突出片５１の変形に伴う応力が集中する応力集中部でもある。脆弱部５８は、破損しやすい部位である。脆弱部５８は、破断しやすい部位でもある。脆弱部５８は、突出片５１と連結部分５２との間に位置している。言い換えると、脆弱部５８と平面部分２１ｄとの間には、連結部分５２が位置している。この結果、分離防止機構５０うち、最も破損し易い部位を、脆弱部５８とすることができる。脆弱部５８は、平面部分２１ｄから離れているから、平面部分２１ｄの破損が抑制される。言い換えると、分離防止機構５０が破損しても、第２部材２０の外壁２１の破損が抑制される。
【００５５】
＜製造方法＞
フィルタ装置１の製造方法は、第１部材１０と第２部材２０との間にフィルタエレメント３０を収容し、第１部材１０と第２部材２０とをリテーナ４０によって締め付ける主組立工程を含む。この製造方法は、主組立工程の前に、リテーナ４０を第２部材２０の下部から装着する予備的な組立工程を備える。
【００５６】
予備的な組立工程は、リテーナ４０を外面２１ａの径方向外側に装着する段階を有する。この段階では、連結部分５２の径方向外側にリテーナ４０を位置づけることができる。この段階は、後述の図８に図示されている。
【００５７】
次に、予備的な組立工程は、突出片５１を弾性変形させることにより、リテーナ４０が分離防止機構５０を乗り越えるように、リテーナ４０を移動させる段階を有する。この段階では、突出片５１の径方向外側にリテーナ４０を位置づけながら、リテーナ４０を下から上へ移動させることができる。
【００５８】
次に、予備的な組立工程は、分離防止機構５０より上に、リテーナ４０を到達させる段階を有する。これにより、第１部材１０と第２部材２０とを締め付けるようにリテーナ４０を位置づけることができる。この段階は、後述の図９に図示されている。
【００５９】
フィルタ装置１の製造方法は、フィルタエレメント３０を交換する再度の製造段階を有する。再度の製造方法は、リテーナ４０を緩め、締結機構を解除して、第１部材１０と第２部材２０とを分離する分離工程を含む。さらに、再度の製造方法は、分離工程の間、および分離工程の後に、第２部材２０の径方向外側にリテーナ４０を保持する保持段階を有する。この保持段階は、突出片５１によって、リテーナ４０の下方向への移動を阻止する段階を含む。さらに、保持段階は、リテーナ４０から突出片５１に作用する荷重によって、仮想円ＣＲｍを拡大するように突出片５１を変形させる段階を含んでもよい。この結果、第２部材２０とリテーナ４０との分離が阻止される。
【００６０】
図２において、第１部材１０と第２部材２０とを分離した状態における、第２部材２０とリテーナ４０とが図示されている。リテーナ４０は、突出片５１より上において、上下方向に移動可能である。リテーナ４０の下限位置は、リテーナ４０と突出片５１との衝突によって規定される。リテーナ４０の上限位置は、第２部材段差２３とリテーナ段差４３との衝突によって規定される。
【００６１】
図３は、第２部材２０にリテーナ４０を装着した状態における平面図である。図４は、第２部材２０だけの平面図である。外壁２１の内面は、平面部分２１ｄにおいて平面を提供している。上端縁２１ｃおよび第２部材段差２３は、位置決めなどの用途をもつ切欠部を有している。第２部材段差２３が提供する仮想円の外径は、上端縁２１ｃが提供する仮想円の外径より大きい。この結果、第２部材段差２３がリテーナ段差４３の上に位置付けられることで、両者の確実な接触が得られる。図４に図示されるように、突出片５１は、第２部材段差２３が提供する仮想円の外径より径方向外側に突出している。図３に図示されるように、突出片５１は、リテーナ４０より径方向外側に突出することはない。よって、第２部材２０とリテーナ４０とのうち、リテーナ４０が最大の外径を提供する。
【００６２】
図５において、突出片５１の幅ＷＤは、平面部分２１ｄの幅より小さい。比較的細い突出片５１は、弾性変形を容易にする。また、比較的細い突出片５１は、過度の変形を受けた場合に、突出片５１の折損を可能とする。この結果、外壁２１の破損が抑制される。
【００６３】
図６は、第２部材２０の断面を示す。図７は、連結部分５２における断面を示している。連結部分５２は、複数の板状部材を組み合わせて提供されている。連結部分５２は、Ｈ型断面を有している。連結部分５２は、突出片５１よりも高い剛性を提供する。また、連結部分５２は、複数の板状部材によって平面部分２１ｄと連結されている。一方、連結部分５２は、突出片５１の断面に相当する板状部分だけで、突出片５１と連結されている。この形状は、平面部分２１ｄにおける破損を抑制するために貢献する。
【００６４】
図８は、連結部分５２における第２部材２０の断面を実線で示している。一点鎖線は、リテーナ４０を示す。一点鎖線は、第２部材２０の軸ＡＸに対して、リテーナ４０の軸ＡＸ４０がずれている状態を示している。リテーナ４０の軸ＡＸ４０は、内径ＣＲ４４の中心に相当する。軸ＡＸ４０は、連結部分５２の径方向外側にリテーナ段差４３を位置付けた状態における内径ＣＲ４４の中心を示している。二点鎖線は、連結部分５２が規定する軸ＡＸと平行な軸をもつ仮想円の外径ＣＲ５２を示している。外径ＣＲ５２は、最小の外径ＣＲｍｉｎと等しいか、または、最小の外径ＣＲｍｉｎより大きい。内径ＣＲ４４は、外径ＣＲ５２より大きい。
【００６５】
内径ＣＲ４４は、外径ＣＲ５２より大きいから、リテーナ４０は連結部分５２の径方向外側を通過可能である。よって、リテーナ４０が第２部材２０に装着されるとき、連結部分５２は、障害とならない。
【００６６】
図９は、突出片５１が自由状態にあるときにおける第２部材２０の断面を実線で示している。一点鎖線は、リテーナ４０を示す。二点鎖線は、突出片５１が提供する仮想円ＣＲ５１を示している。仮想円ＣＲ５１は、外径ＣＲ５１を有する。外径ＣＲ５１は、内径ＣＲ４４よりも大きい。このため、リテーナ４０は、突出片５１の径方向外側を通過できない。図示のように軸ＡＸ４０がずれていても、リテーナ４０は、突出片５１の径方向外側を通過できない。この結果、フィルタ装置１の製造方法において、第２部材２０からのリテーナ４０の意図しない分離を防止できる。
【００６７】
一方で、突出片５１を弾性変形させることにより、突出片５１は、内側縁４４と外面２１ａとの間に位置づけることができる。このとき、リテーナ４０は、突出片５１の径方向外側を通過することができる。この結果、フィルタ装置１の製造方法における最初の組立工程において、第２部材２０にリテーナ４０を予備的に装着できる。また、フィルタ装置１の製造方法において、第２部材２０からリテーナ４０を意図的に分離させることができる。これにより、リテーナ４０の交換、修理が可能となる。
【００６８】
この実施形態によると、突出片５１を弾性変形させることで、第２部材２０とリテーナ４０とを容易に嵌め合うことができる。また、突出片５１は、弾性によって復元するから、嵌合後の安定的な保持を提供できる。さらに、再び突出片５１を弾性変形させることによって、第２部材２０とリテーナ４０との意図的な分離が可能である。さらに、第２部材２０に樹脂材料によって一体成型された突出片５１によって分離を防止できる。このため、少ない部品数で、分離防止機構５０を提供できる。また、一体成型された突出片５１は、第２部材２０の上におけるリテーナ４０の安定的な保持を可能とする。また、分離防止機構５０は、連結部分５２を備えるから、第２部材２０の破損を抑制することができる。
【００６９】
第２実施形態
この実施形態は、先行する実施形態を基礎的形態とする変形例である。上記実施形態では、連結部分５２と突出片５１との間に、脆弱部５８が設けられている。これに代えて、連結部分５２および脆弱部５８は、多様な形状を採用することができる。
【００７０】
図１０は、この実施形態における分離防止機構５０を示す部分拡大図である。分離防止機構５０は、第１水平片５３および第１垂直片５４を有する。さらに、分離防止機構５０は、第１水平片５３の内面と第１垂直片５４の内面とにわたって張り渡された補強片２５９を有する。補強片２５９は、第１水平片５３と第１垂直片５４との間における機械的な剛性を高める。この結果、この実施形態では、第１水平片５３と平面部分２１ｄとの間に脆弱部２５８が形成される。この場合、補強片２５９の終端部位に応力が集中し、平面部分２１ｄの破損が抑制される。
【００７１】
第３実施形態
この実施形態は、先行する実施形態を基礎的形態とする変形例である。図１１は、この実施形態における分離防止機構５０を示す部分拡大図である。
【００７２】
分離防止機構５０は、第１水平片５３の内面と平面部分２１ｄとにわたって張り渡された補強片３５９を有する。補強片３５９は、第１水平片５３と平面部分２１ｄとの間における機械的な剛性を高める。この結果、この実施形態では、第１水平片５３と第１垂直片５４との間に脆弱部３５８が形成される。この場合、補強片３５９によって、平面部分２１ｄとの連結が補強される。応力は、脆弱部３５８に集中し、平面部分２１ｄの破損が抑制される。
【００７３】
第４実施形態
この実施形態は、先行する実施形態を基礎的形態とする変形例である。図１２は、この実施形態における分離防止機構５０を示す部分拡大図である。
【００７４】
分離防止機構５０は、突出片５１の中に、追加的な脆弱部４５８を有する。追加的な脆弱部４５８は、突出片５１の厚さ、および／または幅を小さくすることによって、形成されている。突出片５１が弾性変形すると、応力は追加的な脆弱部４５８に集中する。過度な応力が作用すると、突出片５１が破損する。この結果、平面部分２１ｄの破損が抑制される。
【００７５】
第５実施形態
この実施形態は、先行する実施形態を基礎的形態とする変形例である。上記実施形態では、突出片５１によって分離防止機構５０が提供される。これに代えて、分離防止機構５０は、第２部材２０の溝と、リテーナ４０の突部との嵌め合いによって提供されてもよい。
【００７６】
図１３は、第２部材２０とリテーナ４０とを模式的に示す部分断面図である。図１４は、ＸＩＶ−ＸＩＶ線におけるリテーナ４０の断面を示す。破線は、第２部材２０を示す。
【００７７】
リテーナ４０は、内径ＣＲ４４よりもさらに径方向内側に向けて突出する突部５６１を有する。第２部材２０は、外面５６２を有する。外面５６２は、内径ＣＲ４４より小さい外径ＣＲ５６２を有する。外径ＣＲ５６２は、突部５６１が提供する仮想の内径より大きい。よって、突部５６１は、外面５６２を提供する端面に接触することで、意図せぬ分離が抑制される。
【００７８】
第２部材２０は、溝５６３を有する。溝５６３は、外面５６２より径方向内側にへこみ、軸方向に沿って延びている。溝５６３の内径は、突部５６１の内径より小さい。よって、リテーナ４０を周方向に回転させ、突部５６１を溝５６３に位置付けた場合、突部５６１は、溝５６３に沿って軸方向に移動可能である。突部５６１は、溝５６３の中に受け入れられて、リテーナ４０の軸方向への移動を許容する。よって、周方向における所定の位置では、予備的な組立と、後発的な意図的分離とが可能となる。
【００７９】
第６実施形態
この実施形態は、先行する実施形態を基礎的形態とする変形例である。図１５は、この実施形態における、第２部材２０とリテーナ４０とを模式的に示す部分断面図である。第２部材２０は、溝６６３を備える。溝６６３は、クランク状の経路を有している。溝６６３は、Ｓ字状とも呼べる。溝６６３が提供する経路は、中間部分に戻る経路を含む。これにより、リテーナ４０の直線状の移動が抑制される。この結果、意図しない分離が抑制される。
【００８０】
第７実施形態
この実施形態は、先行する実施形態を基礎的形態とする変形例である。上記実施形態では、突出片５１によって分離防止機構５０が提供される。これに代えて、分離防止機構５０は、第２部材２０の突部と、リテーナ４０の溝との嵌め合いによって提供されてもよい。
【００８１】
図１６は、第２部材２０とリテーナ４０とを模式的に示す部分断面図である。図１７は、ＸＶＩＩ−ＸＶＩＩ線におけるリテーナ４０の断面を示す。破線は、第２部材２０を示す。
【００８２】
第２部材２０は、リテーナ４０の内径ＣＲ４４より小さい外径ＣＲ５６２を有する外面５６２を有する。第２部材２０は、複数の突部を有する。複数の突部は、少なくとも２つの突部７６５、７６６を有する。２つの突部７６５、７６６は、外面５６２より径方向外側に突出している。２つの突部７６５、７６６は、軸方向に沿って延びている。
【００８３】
リテーナ４０は、ひとつの溝７６４を有する。リテーナ４０は、リテーナ４０の内径ＣＲ４４より径方向外側に向けてへこむひとつの溝７６４を有する。溝７６４は、２つの突部７６５、７６６を順に受け入れる。溝７６４は、リテーナ４０の軸方向への移動を許容する。２つの突部７６５、７６６の高さは、溝７６４の中を通過可能な高さである。
【００８４】
２つの突部７６５、７６６は、周方向に関して離れている。突部７６５と、突部７６６とは、角度ＤＲだけ離れている。２つの突部７６５、７６６は、第２部材２０の上下方向に沿って延びる細長い突部である。２つの突部７６５、７６６は、上下方向に沿って互いに離れている。２つの突部７６５、７６６は、上下方向に関して距離ＶＤだけ離れている。
【００８５】
予備的な組立工程において、リテーナ４０は、溝７６４の位置を順に突部７６６および突部７６５に合わせることで、経路ＰＴを経由して装着される。また、意図的に第２部材２０からリテーナ４０を分離させる場合、リテーナ４０は、溝７６４の位置を順に突部７６５および突部７６６に合わせることで、経路ＰＴを経由して分離される。２つの突部７６５、７６６は、クランク型の経路ＰＴを提供するから、リテーナ４０の直線的な移動が阻止される。よって、意図しない分離を抑制することができる。
【００８６】
第８実施形態
この実施形態は、先行する実施形態を基礎的形態とする変形例である。上記実施形態では、第２部材２０とリテーナ４０との両方に分離防止機構５０の要素が配置される。これに代えて、分離防止機構５０は、第２部材２０の突部だけで提供されてもよい。
【００８７】
図１８は、第２部材２０とリテーナ４０とを模式的に示す部分断面図である。図１９は、ＸＩＸ−ＸＩＸ線におけるリテーナ４０の断面を示す。破線は、第２部材２０を示す。
【００８８】
リテーナ４０は、内側縁４４が規定する仮想円だけを有する。一方、第２部材２０は、ひとつまたは複数の突部を有する。第２部材２０は、リテーナ４０の内径ＣＲ４４より小さい外径ＣＲ５６２を有する外面５６２を有する。第２部材２０は、外面５６２より径方向外側に突出し、軸方向に沿って延びるひとつまたは複数の突部７６５、７６６を有する。この実施形態では、第２部材２０は、２つの突部７６５、７６６を備える。
【００８９】
リテーナ４０は、リテーナ４０を特定の径方向へずらした場合にのみ、突部７６５の径方向外側において、リテーナ４０の軸方向への移動を許容する内径ＣＲ４４を有する。２つの突部７６５、７６６の高さと、内側縁４４が規定する内径ＣＲ４４とは、リテーナ４０を特定の径方向へ最大にずらした場合に、内側縁４４が、ひとつの突部だけを通過できるように設定されている。この実施形態でも、リテーナ４０を第２部材２０の径方向外側に保持することができ、過度の分離を抑制することができる。
【００９０】
第９実施形態
この実施形態は、先行する実施形態を基礎的形態とする変形例である。上記実施形態では、第２部材２０は、２つの突部７６５、７６６を有する。これに代えて、第２部材２０は、突部７６５または突部７６６のひとつだけを有していてもよい。
【００９１】
図２０において、第２部材２０は、突部７６５だけを有する。この実施形態でも、リテーナ４０を特定の径方向へ最大にずらした場合に、内側縁４４が、ひとつの突部７６５を通過できる。
【００９２】
他の実施形態
この明細書および図面等における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【００９３】
上記実施形態では、濾材３２は、いわゆる軸流型のハニカムエレメントである。これに代えて、濾材３２は、プリーツ型、菊花型、または成形型など多様な形状をもつことができる。
【符号の説明】
【００９４】
１  エレメント交換型フィルタ装置、
１０  第１部材、  １１  外筒、  １２  内筒、
１３  環状空洞、  １４  柱状空洞、  １５  入口管、
１６  出口管、  １７  第１部材段差、  １８  雄ねじ部、
２０  第２部材、２１  外壁、２１ａ  外面、２１ｂ  底面、
２１ｃ  上端縁、  ２１ｄ  平面部分、  ２２  容積室、
２３  第２部材段差、  ２４  シール面、  ２５  シール部材、
３０  フィルタエレメント、  ３１  フレーム、
３２  濾材、  ３３  第１シール部材、  ３４  第２シール部材、
４０  リテーナ、  ４１  筒状部分、  ４２  上端縁、
４３  リテーナ段差、  ４４  内側縁、  ４５  雌ねじ部、
５０  分離防止機構、  ５１  突出片、  ５２  連結部分、
５３  第１水平片、  ５４  第１垂直片、  ５５  第２垂直片、
５６  第２水平片、５７  空洞、  ５８  脆弱部、
２５８  脆弱部、  ２５９  補強片、
３５８  脆弱部、  ３５９  補強片、  ４５８  脆弱部、
５６１  突部、  ５６２  外面、  ５６３  溝、  ６６３  溝、
７６４  溝、  ７６５  突部、  ７６６  突部。
【図１】
2019126797.tif 000003
【図２】
2019126797.tif 000004
【図３】
2019126797.tif 000005
【図４】
2019126797.tif 000006
【図５】
2019126797.tif 000007
【図６】
2019126797.tif 000008
【図７】
2019126797.tif 000009
【図８】
2019126797.tif 000010
【図９】
2019126797.tif 000011
【図１０】
2019126797.tif 000012
【図１１】
2019126797.tif 000013
【図１２】
2019126797.tif 000014
【図１３】
2019126797.tif 000015
【図１４】
2019126797.tif 000016
【図１５】
2019126797.tif 000017
【図１６】
2019126797.tif 000018
【図１７】
2019126797.tif 000019
【図１８】
2019126797.tif 000020
【図１９】
2019126797.tif 000021
【図２０】
2019126797.tif 000022